(57)【特許請求の範囲】
【請求項１】
銃本体の銃身に設けられたインナーバレルと、該インナーバレルの外周にて前後動するスライドの内部に前後動可能に設けられたシリンダとの間に薬室が形成され、該薬室に装填した薬莢から弾丸を発射した後に空薬莢を排出する薬莢式エアーガンであって、
薬莢は該薬莢内の前後を貫く貫通孔の先端付近の内周に弾性のＯリングが固定され、弾丸を貫通孔の先端側からＯリングの弾性に抗して押し入れることにより貫通孔内に弾丸が保持され、
銃本体の把手部に設けられたマガジン室に銃本体とは別体に構成されたマガジンを着脱自在に装着することができ、
該マガジンは、マガジン本体の前側に設けられ複数の薬莢を寝かせた状態で順次装填し得る弾倉と、該弾倉内にてフォロアスプリングで弾性的に上方へ付勢されたフォロアと、マガジン本体の後側に設けられたガス蓄圧室と、該ガス蓄圧室の上方の前側に設けられたガス放出路と、ガス蓄圧室とガス放出路とを隔てる境壁に設けられたガス放出孔と、ガス蓄圧室の上方であってガス放出路の後側に並設されたリンク室と、該リンク室に回動自在に軸支されたバルブリンクと、該バルブリンクに係止されると共に該バルブリンクの回動によって下方に作動する放出バルブと、該放出バルブの下端をバルブスプリングを介して支持するバルブベースと、該バルブベースの下端部を支持すると共にガス蓄圧室の下方開放側を閉塞するマガジンベースとを一体的に備えてなる薬莢式エアーガンにおいて、
マガジン室にマガジンを装着状態にしたとき、該マガジンの弾倉に装填された最上段の薬莢が前進位置にあるスライドの包底面で保持されると共に、マガジン本体のガス放出路の上端に設けられたノズルラバーがシリンダ通路に連通するノズル受けに嵌着することによって、ガス放出路とシリンダ内とが連通状態となり、
スライドを手動で後退した際、弾倉内の最上段の薬莢がスライドの包底面による保持から解除されると共に、該最上段の薬莢がフォロアスプリングの弾性力で薬室へと付勢されることにより、スライドを後退状態から手離した際、該スライドが前方へ弾性復帰する間に弾倉内の最上段の薬莢が薬室へと移動して該薬室に装填された状態となり、
この薬室に装填された薬莢の前端外周がインナーバレルの後端に設けられた薬莢保持凹部に係止されると共に、薬莢の周底部がシリンダの前端に形成された底部保持溝に係合されることにより薬莢が薬室内に保持され、該薬室内に保持された薬莢内の貫通孔にシリンダ内のシリンダ通路が連通することによって、弾丸の発射待機状態となることを特徴とする薬莢式エアーガン。
【発明の詳細な説明】
【技術分野】
【０００１】
本発明は、薬莢に装填された弾丸をガス圧によって発射すると共に、排莢を行なうことができる薬莢式エアーガンに関する。
【背景技術】
【０００２】
従来から、プラスチック製弾丸（いわゆる「ＢＢ弾」）をガス圧によって発射するようにした玩具空気銃（「エアーガン」と称する）が周知である。また、弾丸を発射した後に、空薬莢を排出することができる薬莢式のエアーガンも開発されている。
【０００３】
そこで、従来の薬莢式エアーガンについて特許文献１を参照すると、この文献の発明は自動小銃型モデルガンに関するものであり、ガス圧を利用して、弾丸の装填、発射、排莢を行う構造を有するものである。
【０００４】
ところが、気化ガスの供給源であるガス収容タンクが銃本体の前床部に設けられ、これに対して薬莢を縦状に収容してなる弾倉がバレルの近傍に設けられているため、ガス収容タンクと弾倉とが別体構造とされ、しかもガス収容タンクと弾倉とが銃本体に固定された構造であるため、気化ガスがなくなると、その都度、銃本体のガス収容タンクにガスを充填しなければならない、という不都合があった。
【０００５】
また、この特許文献においては、弾倉もまた銃本体に固定的に設けられているため、弾丸が無くなると、銃本体の弾倉に薬莢を充填しなければならない、という不都合があった。
【特許文献１】特公平４−１６７１５号公報
【発明の開示】
【発明が解決しようとする課題】
【０００６】
本発明は、上記の事情に鑑みてなされたもので、薬莢内に設けられた弾丸の発射及び排莢を可能とした薬莢式エアーガンであって、銃本体とは別体に設けられたマガジン内にガス蓄圧室と弾倉とを一体的に構成し、このマガジンを銃本体のマガジン室に装填して、弾丸の発射及び空薬莢の排出を行なうようにした薬莢式エアーガンを提供することを目的とする。
【課題を解決するための手段】
【０００７】
上記の目的を達成するために、本発明における請求項１の薬莢式エアーガンは、銃本体の銃身に設けられたインナーバレルと、該インナーバレルの外周にて前後動するスライドの内部に前後動可能に設けられたシリンダとの間に薬室が形成され、該薬室に装填した薬莢から弾丸を発射した後に空薬莢を排出する薬莢式エアーガンであって、薬莢は該薬莢内の前後を貫く貫通孔の先端付近の内周に弾性のＯリングが固定され、弾丸を貫通孔の先端側からＯリングの弾性に抗して押し入れることにより貫通孔内に弾丸が保持され、銃本体の把手部に設けられたマガジン室に銃本体とは別体に構成されたマガジンを着脱自在に装着することができ、該マガジンは、マガジン本体の前側に設けられ複数の薬莢を寝かせた状態で順次装填し得る弾倉と、該弾倉内にてフォロアスプリングで弾性的に上方へ付勢されたフォロアと、マガジン本体の後側に設けられたガス蓄圧室と、該ガス蓄圧室の上方の前側に設けられたガス放出路と、ガス蓄圧室とガス放出路とを隔てる境壁に設けられたガス放出孔と、ガス蓄圧室の上方であってガス放出路の後側に並設されたリンク室と、該リンク室に回動自在に軸支されたバルブリンクと、該バルブリンクに係止されると共に該バルブリンクの回動によって下方に作動する放出バルブと、該放出バルブの下端をバルブスプリングを介して支持するバルブベースと、該バルブベースの下端部を支持すると共にガス蓄圧室の下方開放側を閉塞するマガジンベースとを一体的に備えてなる薬莢式エアーガンにおいて、マガジン室にマガジンを装着状態にしたとき、該マガジンの弾倉に装填された最上段の薬莢が前進位置にあるスライドの包底面で保持されると共に、マガジン本体のガス放出路の上端に設けられたノズルラバーがシリンダ通路に連通するノズル受けに嵌着することによって、ガス放出路とシリンダ内とが連通状態となり、スライドを手動で後退した際、弾倉内の最上段の薬莢がスライドの包底面による保持から解除されると共に、該最上段の薬莢がフォロアスプリングの弾性力で薬室へと付勢されることにより、スライドを後退状態から手離した際、該スライドが前方へ弾性復帰する間に弾倉内の最上段の薬莢が薬室へと移動して該薬室に装填された状態となり、この薬室に装填された薬莢の前端外周がインナーバレルの後端に設けられた薬莢保持凹部に係止されると共に、薬莢の周底部がシリンダの前端に形成された底部保持溝に係合されることにより薬莢が薬室内に保持され、該薬室内に保持された薬莢内の貫通孔にシリンダ内のシリンダ通路が連通することによって、弾丸の発射待機状態となることを特徴とする。
【発明の効果】
【００１１】
本発明の薬莢式エアーガンによれば、マガジンは多数の薬莢を収納する弾倉とガス注入口を有するガス蓄圧室とが設けられたマガジン本体をマガジンケースでカバーしてなる一体構成とされているため、ユーザーは予め準備してあるマガジンを銃本体のマガジン室に装着することによって、ガス蓄圧室内の気化ガスと弾倉内の薬莢を銃本体側に供給することが可能となる。
【００１２】
また、上記のマガジン内の弾倉に収納された薬莢は内部に弾丸が込められ、銃本体の薬室に薬莢を装填した後、薬莢内の弾丸を発射して空になった空薬莢を排出することができるため、ユーザーは、弾丸を発射するという楽しみと、空薬莢を排出するという楽しみを１丁のエアーガンで実現することが可能となる。
【００１３】
さらに、本発明の薬莢式エアーガンによれば、弾丸の発射後に排出された空薬莢を回収し、この空薬莢に弾丸を詰め込むだけで薬莢を再生することができるため、薬莢に無駄がなく、また、ユーザーは空薬莢に弾丸を詰め込んで、これをマガジンの弾倉に装填するという作業を楽しむことが可能となる。
【発明を実施するための最良の形態】
【００１４】
以下、本発明の実施例について図面を参照しながら説明する。なお、本発明の説明において、「前方」の語は銃本体の銃口側を云うこととし、「後方」の語は銃本体のハンマ側を云うこととする。
【実施例１】
【００１５】
本実施例のエアーガンは、図１に示す銃本体１の把手部２内に設けられたマガジン室３に薬莢４を装填したマガジン５を装着し、薬莢４内の弾丸Ｂの発射後、空薬莢４ａを排出することを可能としたものである。
【００１６】
本発明によるマガジン５の実施例として２つの形態を挙げることとする。第１の形態は、図２（ａ）〜(ｄ)に示すように、マガジン本体６内に形成された弾倉７を断面コ字形のマガジンケース８（８Ａ）によってカバーすることによりマガジン５を構成するようにしたものである。また、マガジン５の第２の形態は、図３（ａ）〜(ｄ)に示すように、弾倉７とガス蓄圧室９とが設けられたマガジン本体６を筒形のマガジンケース８（８Ｂ）内に挿着することによりマガジン５を構成するようにしたものである。
【００１７】
上記のマガジン５の第１の形態と第２の形態について詳細に述べると、両者に共通する構成は、図２(ｃ)、（ｄ）又は図３(ｃ)、（ｄ）（図３(ｃ)は説明のために他の図面よりも拡大してある）に示すように、いずれもマガジン本体６の内部の前後に領域を分割して弾倉７とガス蓄圧室９とが形成されたことにより、マガジン５に弾倉７とガス蓄圧室９とが一体的に構成された点にある。また、図２（ｄ）、図３（ｄ）に示すように、ガス蓄圧室９の下方開放側はマガジンベース１０によって閉塞することができ、マガジンベース１０に設けられたガス注入口１１から気化ガスをガス蓄圧室９内に注入することが可能とされている。なお、マガジン本体６の下端付近に設けられた係止孔６ａ、６ａにマガジンベース１０に設けられた係止突起１０ａ、１０ａを嵌合することによって、マガジン本体６にマガジンベース１０が固定される。
【００１８】
さらに、図３(ｃ)に示すように、マガジン本体６のガス蓄圧室９の上方には前側にガス放出路１２が設けられ、後側にリンク室１３が設けられている。即ち、ガス蓄圧室９の上部に設けられた境壁１４にガス放出孔１５が形成され、このガス放出孔１５を開閉する放出バルブ１６の上端部はリンク室１３に回動自在に軸支されたバルブリンク１７に係止され、後述するバルブハンマー１８の作動によってバルブリンク１７が回動し、これによって放出バルブ１６が下方に作動してガス放出孔１５が開放される。
【００１９】
また、放出バルブ１６の下端はバルブスプリング１９を介して棒状のバルブベース２０に支持されている。このバルブベース２０の下端部はマガジンベース１０に形成された係止凹部１０ｂに挿着され、放出バルブ１６はバルブスプリング１９によって常時上方に付勢され、ガス放出孔１５を閉ざしているが、上記のようにバルブハンマー１８の作動によってバルブリンク１７が回動すると、放出バルブ１６を下方に作動してガス放出孔１５が開放される。また、ガス放出路１２の上端部にはノズルラバー２１が設けられ、後述するように、マガジン５をマガジン室３に装着した際、ノズルラバー２１が本体側に密着してガス放出路１２の気密性を保つことが可能となる。
【００２０】
さらに、弾倉７の内部にはフォロアスプリング２２で支持されたフォロア２３が弾性的に上方へ付勢された構成とされ、薬莢４を寝かした状態でフォロア２３の上部に順次装填することが可能とされている。弾倉７に装填された多数の薬莢４、４…は、その最上段の薬莢４をマガジンケース８の上端に設けられた不図示の突起によって係止することにより、弾倉７内の薬莢全部を保持することができる。
【００２１】
上記の構成を有するマガジン５において、図２（ａ）〜（ｄ）に示すように、マガジンケース８の第１の形態（８Ａ）は、マガジン本体６に設けられた弾倉７を断面コ字形のマガジンケース８（８Ａ）によってカバーする構成からなるものである。即ち、マガジンケース８（８Ａ）は一側を開放した断面コ字形を有し、弾倉７をカバーする大きさに形成され、このマガジンケース８（８Ａ）の両側端部に沿って小径の嵌合孔２４が複数形成されると共に、各嵌合孔２４に対応する突起２５がマガジン本体６の弾倉７の縁部に沿って形成され、マガジンケース８（８Ａ）の開放口を弾倉７の側方から図２(ｂ)、（ｄ）に示す矢印の方向に嵌め込み、マガジン本体６側の各突起２５をマガジンケース８（８Ａ）の各嵌合孔２４に嵌め込むことによって、マガジンケース８（８Ａ）をマガジン本体６に対して着脱自在に取付けることができる。
【００２２】
なお、マガジンケース８を弾倉７に取り付ける構造は上記のように嵌合孔２４と突起２５との嵌合構造に限定されるものではなく、他に、例えばマガジンケース８と弾倉７とに長溝と突部とを形成してスライド式に嵌合するような構造にしてもよい。
【００２３】
また、マガジンケース８の第２の形態は、図３（ａ）〜（ｄ）に示すように、上記と同様に構成された弾倉７とガス蓄圧室９とが設けられたマガジン本体６を筒形のマガジンケース８（８Ｂ）内に挿入することによってカバーするものである。即ち、弾倉７とガス蓄圧室９とを有するマガジン本体６の全体周囲を包囲することが可能な平状筒形のマガジンケース８（８Ｂ）の下側開放側から内部にマガジン本体６を挿着することにより、弾倉７を含めてマガジン本体６の外周をカバーするようにしたものである。
【００２４】
次に、本実施例における薬莢４の構成について説明すると、図３(ｃ)に示すように、空薬莢４ａの前後を貫く貫通孔２６と、後端側に周状の周底部２７とを有し、貫通孔２６内の先端付近の内周にゴム製のＯリング２８が固定され、Ｏリング２８から後方に離間して管状リング２９が固着されている。このような構成により、例えば球形のプラスチック製弾丸（所謂「ＢＢ弾」）Ｂを貫通孔２６の先端側からＯリング２８の弾性に抗して押し入れることにより、Ｏリング２８と管状リング２９との間に弾丸Ｂを保持することできる。このような薬莢４は、後述する弾丸Ｂの発射によって銃本体１から排出された空薬莢４ａの内部に、ユーザーが弾丸Ｂを押入れることによって薬莢４を再生することが可能である。
【００２５】
次に、本実施例に係る銃本体１の構成について説明する。図１に示すように、銃本体１の把手部２内にマガジン５を着脱自在に装着するマガジン室３が下方を開放した構成とされ、このマガジン室３にマガジン５を押し入れて装着することが可能である。なお、マガジン室３の途中に設けられたマガジンキャッチ３０ａはマガジンケース８の側部に設けられたキャッチ受け３０ｂに係止されることにより、マガジン室３に差し込んだマガジン５を定位置で固定するストッパ機能を有し、マガジンキャッチ３０ａを外方から押圧することによってそのストッパ機能を解除することができ、これによってマガジン５をマガジン室３から抜き取ることができる。
【００２６】
また、図１に示すように、銃本体１の上方の銃身３１には細筒状のインナーバレル３２が固定され、このインナーバレル３２とその後方に設けられたシリンダ３３との間には薬室３４が設けられ、この薬室３４に弾倉７から送られてきた薬莢４を装填することができる（図５参照）。また、薬室３４に薬莢４を装填した際には、図７に示すように、薬莢４の前端外周がインナーバレル３２の後端に設けられた薬莢保持凹部３５（図４参照）に係止されると共に、薬莢４の周底部２７がシリンダ３３の前端に形成された底部保持溝３６に係合されることによって、薬莢４は薬室３４内に確実に保持された状態となる。
【００２７】
また、図１に示すように、シリンダ３３内の前部には、薬室３４に通じる貫通状のシリンダ通路３７が形成され、このシリンダ通路３７の後端にはシリンダ通路３７を開閉するプラグ３８がプラグスプリング３９を介して設けられ、プラグ３８はプラグスプリング３９の弾性力によってシリンダ通路３７を開放する方向へ付勢している。また、プラグ３８とピストン４１とはピストンスプリング４０で連結されているが、通常はプラグスプリング３９の弾性力によってプラグ３８はシリンダ通路３７を開放した状態としてあり、後述するようにガス蓄圧室９から送られてきた気化ガスによってプラグ３８が前方へ押圧されたときにシリンダ通路３７が閉塞される。
【００２８】
一方、インナーバレル３２の外周にはアウターバレル４２が設けられ、アウターバレル４２の外周にはスライド４３が前後動可能に設けられ、スライド４３の後退に伴ってスライド４３を前方へ弾性的に付勢するレコイルスプリング５２が銃身３１の下方に設けられたレコイルガイド５１の周部に設けられている。このスライド４３の後方内部の定位置には上記のピストン４１が固定され、ピストン４１はスライド４３の前後動と共に移動するが、シリンダ３３はスライド４３の内部において前後動可能とされている。
【００２９】
また、図１に示すように、銃本体１のフレーム５３にはトリガー４４が軸支され、トリガー４４はトリガバー４５を介して銃本体１の後部に設けられたシアー４６に連繋されている。シアー４６はその下端に設けられたシアー軸４６ｂによって回動自在に設けられ、シアー軸４６ｂの周りにはシアースプリング４８が設けられ、シアー４６を図示の反時計方向へ付勢すると共に、シアー４６の上部に形成された爪部４６ａがハンマー４７のシアー係止部４７ａに係脱する構成とされている。また、ハンマー４７はハンマー軸４７ｂに設けられたハンマースプリング４９によってハンマー４７を図示の反時計方向に回動するように付勢されている。
【００３０】
さらに、先端をマガジン室３に臨ませてなるバルブハンマー１８に設けられた長穴１８ａがハンマー軸４７ｂにスライド可能に嵌合されると共に、バルブハンマー１８をシアー４６側に引くバルブブロックスプリング５０が設けられたことによりバルブハンマー１８は先端側がマガジン室３の下方に付勢されている。このバルブハンマー１８が、図４に示すようにマガジン室３に装着されたマガジン５のバルブリンク１７の上辺を係止し、ハンマー４７の作動によってバルブハンマー１８が長穴１８ａの範囲内で前後動することにより、バルブリンク１７を回動可能とし、また規制することができる。
【００３１】
次に、本実施例によるマガジン５を装填したエアーガンの作動について説明する。図１に示す把手部２のマガジン室３内にマガジン５を下方から押し込んで、図４に示す装着状態とする。このとき、マガジン５の弾倉７に装填された多数の薬莢４、４…の最上段が前進位置にあるスライド４３の包底面４３ａで保持された状態となる。また、マガジン５のノズルラバー２１が銃本体１のノズル受けに嵌着することによって、ガス放出路１２の気密性が保たれた状態でガス放出路１２とシリンダ３３内とが連通状態となる。
【００３２】
次いで、図５に示すように、スライド４３をレコイルスプリング５２の弾性力に抗して後方へ引くと、スライド４３の後端がハンマー４７に当ることによってハンマー４７が倒され、ハンマー４７のシアー係止部４７ａがシアー４６の爪部４６ａに係止される結果、ハンマー４７が倒れた状態を維持する。また、スライド４３が後退することによって、弾倉７内の最上段の薬莢４がスライド４３の包底面４３ａによる保持から解除され、弾倉７内のフォロアスプリング２２の弾性力によって上方の薬室３４へ移動を開始する。
【００３３】
次いで、図６に示すように、スライド４３を後方へ引いた状態から手離すと、圧縮されているレコイルスプリング５２の弾性力によってスライド４３が前方へ復帰するが、スライド４３が完全に復帰するまでの間に、最上段の薬莢４は薬室３４へと移動し、図７に示すように薬室３４に装填された状態となる。このとき、薬莢４の前端外周がインナーバレル３２の後端の薬莢保持凹部３５に係止されると共に、薬莢４の周底部２７がシリンダ３３の前端の底部保持溝３６に係合されることによって、薬莢４は薬室３４内に保持された状態となる。
【００３４】
次いで、図８に示すようにトリガー４４を最後部まで引き切ると、トリガバー４５の作動によってシアー４６が回動し、シアー４６の爪部４６ａに係止されていたハンマー４７のシアー係止部４７ａが外され、ハンマースプリング４９の弾性力によってハンマー４７が図示の反時計方向へ回転する。また、ハンマー４７が回転し、バルブハンマー１８が前方に移動することによって、バルブリンク１７が回転することで放出バルブ１６が下方へ押され、ガス放出孔１５が開放状態になると、ガス蓄圧室９の気化ガスがガス放出孔１５からガス放出路１２を通過し、開放状態にあるシリンダ通路３７を通過して薬室３４の後方に到り、薬莢４内の貫通孔２６内を通過して弾丸Ｂを後方から圧迫することにより、弾丸ＢがＯリング２８を超えて前方へ発射される。
【００３５】
次いで、図９に示すように、弾丸Ｂが発射された後、ガス放出孔１５が開放状態を維持しているため、ガス蓄圧室９からの気化ガスがガス放出路１２内に放出され続け、プラグ３８が前方に押圧されることによってシリンダ通路３７が閉塞される結果、シリンダ３３内に気化ガスが充満し、ピストン４１を後退へ圧迫する。これによってスライド４３が後退すると、再びスライド４３の後端がハンマー４７を後方へ押して、ハンマー４７を倒し、ハンマー４７のシアー係止部４７ａがシアー４６の爪部４６ａに係止されると、ハンマー４７が倒れた状態を維持する。また、スライド４３の後退によって、図１０に示すように、バルブハンマー１８が後退することによりバルブリンク１７が解除されて回動自在になると、放出バルブ１６がバルブスプリング１９の弾性力によって上方へ移動し、ガス放出孔１５が閉塞されることにより、ガス蓄圧室９からの気化ガスの放出が停止する。
【００３６】
さらに、図１１に示すように、上記のスライド４３の後退によって、弾倉７内の最上段の薬莢４がフォロアスプリング２２の弾性力によって上方へ押し出される結果、薬室３４内の空薬莢４ａを外部へ排出することとなる。その後は、図６に示すように、スライド４３が前方に復帰するまでに、弾倉７内の次の薬莢４がフォロアスプリング２２の弾性力によって上方の薬室３４に押され、図７に示すように薬室３４に装填された状態となり、次の発射体勢が整った状態になり、それ以降は、スライド４３を手動で後退させなくても、連続した弾丸の発射及び薬莢の排出が可能となる。
【００３７】
なお、上記の説明においては、薬莢４内に弾丸Ｂを装填したものとしているが、本発明の薬莢式エアーガンによれば、薬莢４内に弾丸Ｂを装填せず、空薬莢４ａを弾倉７に装填した状態であっても、発射されるべき弾丸Ｂが存在しないだけであって、上記と同様の作動によって、空薬莢４ａの排出を行うことが可能である。従って、弾丸Ｂを薬莢４内に詰め込まない状態でも、薬莢４（この場合、空薬莢４ａ）の装填、スライド４３の後退或いは空薬莢４ａの排出といった動作を楽しむことが可能となる。
【産業上の利用可能性】
【００３８】
本発明のエアーガンは、薬莢内に設けられた弾丸の発射及び排莢を可能とした薬莢式エアーガンであって、銃本体とは別体に設けられたマガジン内にガス蓄圧室と弾倉とを一体的に構成し、このマガジンを銃本体のマガジン室に装填して、弾丸の発射及び空薬莢の排出を行なうようにした薬莢式エアーガンとして利用可能である。
【図面の簡単な説明】
【００３９】
【図１】本発明によるエアーガンのマガジン室にマガジンを装着しようとしている状況を示す断面図である。
【図２】(ａ)は本発明による第１の形態におけるマガジンを示す側面図であり、(ｂ)はマガジン本体にマガジンケースとバルブベースを取付ける状況を示す側面図であり、(ｃ)は本発明によるマガジンと薬莢とを示す断面図であり、（ｄ）はマガジン本体にマガジンケースとバルブベースを取付ける状況を示す断面図である。
【図３】(ａ)は本発明による第２の形態におけるマガジンを示す側面図であり、(ｂ)はマガジンケースの内部にマガジン本体を取付けると共にバルブベースを取付ける状況を示す側面図であり、(ｃ)は本発明によるマガジンと薬莢とを示す断面図であり、（ｄ）はマガジンケースの内部にマガジン本体を取付けると共にバルブベースを取付ける状況を示す断面図である。
【図４】本発明によるエアーガンのマガジン室にマガジンを装着した状況を示す断面図である。
【図５】本発明によるエアーガンのスライドを後退させた状況を示す断面図である。
【図６】本発明によるエアーガンのスライドが前進している状況を示す断面図である。
【図７】本発明によるエアーガンにおいて弾倉内の薬莢が銃本体の薬室に装填された状況を示す断面図である。
【図８】本発明によるエアーガンにおいてトリガーを引いて薬莢内の弾丸を発射している状況を示す断面図である。
【図９】本発明によるエアーガンにおいて弾丸の発射後にスライドが後退している状況を示す断面図である。
【図１０】本発明によるエアーガンにおいて弾丸の発射後にスライドが後退して空薬莢を排出する状況を示す断面図である。
【図１１】本発明によるエアーガンにおいて弾丸の発射後にスライドが後退して空薬莢を排出すると共に次の薬莢を薬室に装填している状況を示す断面図である。
【符号の説明】
【００４０】
１  銃本体
２  把手部
３  マガジン室
４  薬莢
４ａ  空薬莢
５  マガジン
６  マガジン本体
６ａ  係止孔
７  弾倉
８  マガジンケース
８Ａ  マガジンケースの第１の形態
８Ｂ  マガジンケースの第２の形態
９  ガス蓄圧室
１０  マガジンベース
１０ａ  係止突起
１０ｂ  係止凹部
１１  ガス注入口
１２  ガス放出路
１３  リンク室
１４  境壁
１５  ガス放出孔
１６  放出バルブ
１７  バルブリンク
１８  バルブハンマー
１８ａ  案内長孔
１９  バルブスプリング
２０  バルブベース
２１  ノズルラバー
２２  フォロアスプリング
２３  フォロア
２４  嵌合孔
２５  突起
２６  貫通孔
２７  周底部
２８  Ｏリング
２９  管状リング
３０ａ  マガジンキャッチ
３０ｂ  キャッチ受け
３１  銃身
３２  インナーバレル
３３  シリンダ
３４  薬室
３５  薬莢保持凹部
３６  底部保持溝
３７  シリンダ通路
３８  プラグ
３９  プラグスプリング
４０  ピストンスプリング
４１  ピストン
４１ａ  係止部
４２  アウターバレル
４３  スライド
４３ａ  包底面
４４  トリガー
４５  トリガバー
４６  シアー
４６ａ  爪部
４６ｂ  シアー軸
４７  ハンマー
４７ａ  シアー係止部
４７ｂ  ハンマー軸
４８  シアースプリング
４９  ハンマースプリング
５０  バルブブロックスプリング
５１  レコイルガイド
５２  レコイルスプリング
５３  フレーム
Ｂ  弾丸
【図１】
0004389111.tif 000002
【図２】
0004389111.tif 000003
【図３】
0004389111.tif 000004
【図４】
0004389111.tif 000005
【図５】
0004389111.tif 000006
【図６】
0004389111.tif 000007
【図７】
0004389111.tif 000008
【図８】
0004389111.tif 000009
【図９】
0004389111.tif 000010
【図１０】
0004389111.tif 000011
【図１１】
0004389111.tif 000012